(57)【要約】      （修正有）【課題】コンパクトで低電力動作する携帯型分析器を提供する。【解決手段】身体部分に切開傷を付与させるべく、一本の指を置くための開口部を有する本体容器と切開傷から採取された体液を分析する分析器具とランセット発射機からなる切開傷付与器具で構成される携帯型の分析機器である。ランセット切開動作位置と収納位置とのあいだを移動させられるものであり、切開動作位置にある場合はランセットは本体容器の開口部に押し当てられる身体部分に切開傷を付与することが可能であり、収納位置にある場合は本体容器の開口部からは遠くはなれた場所に位置する。その結果、本体容器の開口部との間にできる空隙には分析器具が入り込み血液を採取できる。【選択図】図２
2007000620.tif 000002
【特許請求の範囲】
【請求項１】
体液の分析を実施するための携帯型分析機器であって、その身体部分に切開傷を付与させるべく、身体の一部、具体的には一本の指を置くための開口部５を有する本体容器４、前記切開傷から採取された体液を分析する分析器具２、ランセットと、前記ランセットが切開傷をつくるためのランセットの運動を生起させるランセット発射機からなる切開傷付与器具３、前記ランセット発射機を含んでなる切開傷付与器具３について、切開動作位置と収納位置とのあいだで移動させる輸送器具で構成されることを特徴とする携帯型分析機器であって、
前記切開傷付与器具３が切開動作位置にある状態にあっては、前記切開傷付与器具３は本体容器の開口部５に位置し、前記本体容器の開口部５に押し当てられる身体部分にランセットの使用によって切開傷を付与することが可能であり、
前記収納位置にある状態にあっては、前記切開傷付与器具３は本体容器の開口部５からは遠くはなれた場所に位置し、
前記本体容器の開口部５とのあいだにできる空隙には分析器具２が入り込み前記本体容器の開放部５に押し付けられた身体部分から流れ出る血液を採取でき、各駆動器具１０ａ、１０ｂ、１０ｃ、１０ｄが切開傷付与器具３に備わった機能を果たすための機構１１ａ、１１ｂ、１１ｃ、１１ｄの内それぞれが対応するものを作動するために使用され、
前記切開傷付与器具３と駆動器具１０ａ、１０ｂ、１０ｃ、１０ｄのそれぞれとの係合に関して、前記切開傷付与器具３が前記二つの位置のいずれか一方にある状態にあっては当該係合が開放されるものであり、切開傷付与器具３がもう一方の位置にある状態にあっては当該係合が確保される
ことを特徴とする携帯型分析機器。
【請求項２】
前記駆動器具１０ａ、１０ｂ、１０ｃ、１０ｄのいずれかが前記切開傷付与器具３との係合が開放される状態にあるときにあっては当該駆動器具１０ａ、１０ｂ、１０ｃ、１０ｄからは前記切開傷付与器具３が具備する機能を果たすための機構１１ａ、１１ｂ、１１ｃ、１１ｄのいずれに対して何らの力をも伝達できず、
前記駆動器具１０ａ、１０ｂ、１０ｃ、１０ｄのいずれかが前記切開傷付与器具３との係合が確立された状態にあるときにあっては、当該駆動器具１０ａ、１０ｂ、１０ｃ、１０ｄから前記切開傷付与器具３が具備する機能を果たすための機構１１ａ、１１ｂ、１１ｃ、１１ｄのうち、確立されている係合の相手である機構に対して力を伝達できることを特徴とする請求項１記載の携帯型分析機器。
【請求項３】
前記切開傷付与器具３が前記収納位置と切開動作位置のあいだを移動するに当たり、ピボット型、平行移動型あるいはそれらの混合型の移動をすることを特徴とする請求項１または２記載の携帯型分析機器。
【請求項４】
前記分析器具２がベルト形状の試験片収容するカセットを保有していることを特徴とする請求項１〜３のいずれか１項に記載の携帯型分析機器。
【請求項５】
前記機能を果たすための機構１１ａ、１１ｂ、１１ｃ、１１ｄのうちの一つは、発射用バネを緊張状態にするための緊張化機構、切開傷の深さ設定機構、マガジンの位置変更機構、およびランセットの切開動作を開始させる引き金機構の内のいずれかであることを特徴とする請求項１〜４のいずれか１項に記載の携帯型分析機器。
【請求項６】
前記切開傷付与器具３が前記切開動作位置にある状態にあっては前記切開傷付与器具３が前期駆動器具の一つ１０ａ、１０ｂ、１０ｃとの係合から開放されており、前記切開傷付与器具３が前記収納位置にある状態にあっては前記切開傷付与器具３が、前記一つの駆動器具１０ａ、１０ｂ、１０ｃと駆動動作の実行が可能なように係合されていることを特徴とする請求項１〜５のいずれか１項に記載の携帯型分析機器。
【請求項７】
前記切開傷付与器具３と駆動器具の一つ１０ａ、１０ｂ、１０ｃ、１０ｄとのあいだに形成される駆動動作の実行が可能なような係合は回転運動を該一つの駆動器具１０ａ、１０ｂ、１０ｃ、１０ｄから前記切開傷付与器具３の機能を果たすための機構１１ａ、１１ｂ、１１ｃ、１１ｄのいずれかに伝達するものであることを特徴とする請求項１〜６のいずれか１項に記載の携帯型分析機器。
【請求項８】
前記駆動器具１０ａ、１０ｂ、１０ｃ、１０ｄの各々はそれぞれに対応するシャフト１２ａ、１２ｂ、１２ｃ、１２ｄを含んでなることを特徴とする請求項１〜７のいずれか１項に記載の携帯型分析機器。
【請求項９】
前記シャフト１２ｂ、１２ｃ、１２ｄが本体容器４の外壁を貫通して外側に突出していることを特徴とする請求項８記載の携帯型分析機器。
【請求項１０】
前記切開傷付与器具３と駆動器具１０ａ、１０ｂ、１０ｃ、１０ｄのいずれかとのあいだに達成される係合が精密なすり合わせ接合によって達成されることを特徴とする請求項１〜９のいずれか１項に記載の携帯型分析機器。
【請求項１１】
前記切開傷付与器具３が発射用バネで駆動される発射ローターを含んでなることを特徴とする請求項１〜１０のいずれか１項に記載の携帯型分析機器。
【請求項１２】
前記駆動器具の一つ１０ａが本体容器４の内部に配備されるモーター１５で構成され、前記発射用バネを緊張した状態にすることを特徴とする請求項１１記載の携帯型分析機器。
【請求項１３】
前記切開傷付与器具３が複数本のランセットを収容するランセット・マガジンの保持具を含んで構成され、当該保持具が回転運動することで、前記ランセットは順次ランセットの発射機にランセットを装着する装着作業位置に移動させられること、機能を果たすためのものであって当該切開傷付与器具３に備わった一つ特定の機構１１ｂは一つ特定の駆動器具１０ｂによって駆動することが可能であり、当該機能がランセット・マガジンを回転させるものであることを特徴とする請求項１〜１２のいずれか１項に記載の携帯型分析機器。
【請求項１４】
前記携帯型分析機器には前記切開傷付与器具３が前記二つの位置のうちのいずれか一方に位置する状態において前記切開傷付与器具３と前記携帯型分析機器に具備された複数の駆動器具１０ａ、１０ｂ、１０ｃ、１０ｄのいくつかが駆動動作可能に係合し、確立されたこれらの係合が、前記切開傷付与器具３が、もう一方の位置まで移動さされた状態に至るときにはすべて開放されることを特徴とする請求項１〜１３のいずれか１項に記載の携帯型分析機器。
【発明の詳細な説明】
【技術分野】
【０００１】
本願発明は体液の分析を実行するための携帯型分析機器に関するものであり、前記分析機器であって、それが身体の一部、より具体的には一本の指、を置くための開口部を有する本体容器、本体容器の前記開口部におかれた指に切開による傷口がつけられ、前記切開された傷口から流出し採取された体液を分析する分析器具、ランセットと、前記ランセットが切開傷をつくるために必要な高速度でランセットの運動を生起させるランセット発射機からなる切開傷付与器具、その収納位置と前記本体容器の開口部に置かれ前記開口部に押し付けられた身体の部分に前記ランセットにより切開傷をつける行為が実行される場所である切開動作位置とのあいだで、前記切開傷付与器具を位置移動させる輸送器具、切開傷付与器具の機械的構造を動作させる駆動器具から構成されることを特徴とするような携帯用分析機器は独国出願公開第１０３３２４８８号明細書に開示されているとおり公知である。
【０００２】
前記切開された傷口から採取される体液はその傷口の深さに応じて間質液であったり、血液であったりあるいはその双方であったりする。本文書においては、今後、このような区別がある体液について、その代表としての血液という単語を用いて表現するが、血液に限定するものでなく、広い範囲の様々な種類の体液を意味するものとする。
【背景技術】
【０００３】
携帯型の分析機器、それとは別のユニットとして形成されたランセット器具、ならびに複数本の前記血液検査用試料採取片で構成される分析システムを用いて実施される血糖値レベルの検査は、切開傷を付ける切開傷付与器具を血液の分析器具と一体化してなる携帯型分析機器を用いることで格段に容易なものになる。
【０００４】
上記した器具ユニット分離型の分析システムを使用する場合にあっては、その実行者はまずランセット器具で切開、傷口の付与作業を行い、その後、前記傷口から流出してくる血液を試料採取片に吸収させ、さらに次の工程として前記試料採取片を携帯型分析機器に挿入することで血液中の糖濃度の測定を実施することになる。
【０００５】
血液の採取とその採取血液の分析を実施する者にとって、上記した一体構成タイプの携帯型分析機器を使用することでその一連の操作は明らかに簡便なものになる。ちなみに当該携帯型分析機器の本体容器の開口部に一本の指を押し付けるだけですべてが完結することになる。一本の指を押し付けると前記機器に内蔵されている切開傷付与器具によって切開傷が付与される。流出した血液はその分析が実行される箇所にまで、前記機器の使用者の手を煩わせることなく、自動的に移動することになる。切開傷を付与するためのものである前記切開傷付与器具は、初めの段階において機器本体容器の開口部に設定されたその切開動作位置に位置しており、次の段階において輸送器具の働きによって収納位置に移動させられるという構成になっており、このような構成の結果、前記切開傷付与器具はそれ自体が本体容器の開口部に移動することならびに生成された傷口から直接に試料を採取することが可能となる。
【０００６】
糖尿病患者は毎日数回にわたり自身の血糖値を測定することを要求され、そのために携帯型の分析機器を常時携帯することが必要となることから、携帯型の分析機器は、より小さく、より多くの機能を有するものであることが望ましい。このような要請に対応するにあたっては、前記分析機器に内蔵できる電源の電力には限度があることから、その消費電力を小さいものとすることが重要である。電源であるバッテリーへ頻繁に充電しなければならないとしたら、そのユーザーの快適度が低下することになる。一方、バッテリーを大きくするやり方はより小さく多機能にするとの要請に反するものである。
【発明の開示】
【発明が解決しようとする課題】
【０００７】
本願発明は前記したような構成の携帯型分析機器を従来以上にコンパクトで、かつ、そのユーザーの使用快適度を犠牲にしない様に低電力で動作するものとする方法を提供することにある。
【０００８】
上記の課題を解決するため、本願発明になるものであって、前記体液の分析を実行するのに使用する携帯型の分析機器は、本体容器、分析器具、切開傷付与器具、駆動器具、並びに輸送器具で構成される。ここで切開傷付与器具はランセット発射機を有するものであり、輸送器具によって作動され、その収納位置と切開動作位置とのあいだを移動する。この切開動作位置に着いた切開傷付与器具は、本体容器の開口部に位置すると共に、ランセットによって前記開口部に押し付けられている身体の一部に切開傷を付与できる姿勢をとる。この収納位置についた切開傷付与器具は本体容器の前記開口部からは離れた状態にあるものであり、その結果、前記開口部の手前で形成される空間が、そこに分析器具が進入してきて当該本体容器の開口部に押し付けられた身体部分から流出する血液を採取できる姿勢をとるに必要な大きさになるために必要な距離だけ離れている。
【０００９】
前記した発明が解決する課題の達成するために、本願発明にあっては、切開傷付与器具が係合されることになる前記した二つの位置の内の一方にあるときには、前記切開傷付与器具は駆動器具との係合が解かれ、もう一方にあるときには、好ましくは機械的な噛み合いによって前記切開傷付与器具は駆動器具に係合されるように構成される。
【００１０】
携帯型の分析機器の切開傷付与器具は、本願発明にあっては、切開傷の深さを設定するためや発射用バネを緊張状態にするためなど、複数の機能を果たすための複数種の機構を併せ持つのが一般的である。このような場合にあっては、当該機能ごとに必要となる操作が可能となる様、駆動器具も別々に備えられていることが必要となる。これら駆動器具にあっては、ロータリー式操作ボタンや押下ボタンなど、当該動作に対応した、ユーザーの操作対象である操作具を具備する。
【００１１】
切開傷付与器具は、好ましくは、それが収納位置に位置するときには、発射用バネを緊張状態にしたり、切開傷の深さを設定したりする目的で駆動器具と係合され、前記切開傷付与器具が切開動作位置に位置するときにはその駆動器具から開放される構成とされる。しかしこれとは逆に、この切開傷付与器具が、収納位置にあるときは駆動器具から開放され、切開動作位置にあるときに、駆動操作可能な形で駆動器具と係合されるように構成することも可能である。
【００１２】
ここで使用した「機能を果たすための機構」なる表現は切開傷付与器具が有することができる幾つもの互いにことなる機械的構成をいうものであって、たとえば、ランセット発射機のする発射用バネを緊張状態にする緊張化機構、ランセットが身体の一部を切開し付与する傷口の深さを変更したり調節したりするための切開傷深さ設定機構、およびランセット・マガジンを並んで配置された複数の「発射位置」に押し進める、たとえば、次に使用されるランセットをランセット発射機に係合させる、位置送り機構がある。切開傷付与器具には、このような機能を果たすための一つないしそれ以上数の種類の機構が具備される。前記駆動器具の作用により生起する動作は、回転運動であったり位置を平行に移動する運動であったりするものである。機能を果たすための機構は事前に緊張状態にされその状態にある切開傷付与器具を引き金が引かれることで起動する機構であって、それが起動するとランセットが、携帯型の分析機器の本体容器の開口部に押し付けられた身体部位に切開傷を付与する動きを取るものであっても良い。
【００１３】
本願発明による場合にあっては、収納位置と切開動作位置とのあいだを往復運動させられる構成器具が切開傷付与器具のみであって駆動器具を移動させる必要がないことから、本願発明によることで携帯型の分析機器が必要とする電力量は減少する。すなわち、移動させられる部分の合計重量が小さくなり、前記輸送器具が必要とする電力がその分だけ節減できるものである。さらに別の利点として、本願発明に基づく場合にあっては、機能を果たすための機構が動作するのは前記機構が駆動器具と係合されている状態にあるときのみであることから当該分析機器における故障発生の可能性が本願発明によることで最小化することがあげられる。本願発明にあっては、機能を果たすためのこれら機構が駆動器具から一端開放されると、駆動器具に誤操作が加えられても機能を果たすための機構にはなんら影響を与えない。
【００１４】
本願発明によると、駆動器具と切開傷付与器具とのあいだの係合を解く構成とすることで当該携帯型の分析機器の一層の小型化が可能になる。これは、前記切開傷付与器具に伴って駆動器具も移動するといったことにならないことから切開傷付与器具がその切開動作位置と収納位置のあいだで移動可能となるために必要とされる当該分析機器内部の空隙が比較的小さいものに過ぎないことに起因するものである。
【００１５】
駆動器具と切開傷付与器具とのあいだの係合を永続的で、すなわち切り離し不能とする場合にあっては、このような構造は当該分野の公知な技術的事項であるが、ロータリー式操作ボタンにより動作させるシャフトのような機械的構成の駆動操作部品は本体容器の容器壁にスロット（切り遠し溝）を設け、移動する切開傷付与器具と共に移動できるような構成とすることが必要となる。このようにして必要となるスロットはその間隙を通して汚れが本体容器内部に進入するといった欠点となる。切開傷付与器具と駆動器具とのあいだは固定的に係合するものとする従来からの固定観念に捉われることなく、また前記したスロットに伴う欠点を克服するためには電気的に起動指示を発する駆動器具の操作部品とその指示にしたがう動作部品とを、たとえば、可とう性のあるワイヤを使用して接続する構成を採用するといった従来技術に替えて、本願発明は駆動器具を切開傷付与器具の存在位置に応じてそれとの係合を確立したり、係合を解除したりする構成を提示するものである。このような構成によって、比較的単純な機械的構造に留まりながらも、その小型化と低消費電力化という既に上記した優れた特性を獲得できることになる。
【００１６】
本願文書において、切開傷付与器具が駆動器具との係合が解除されるとの表現は、当該係合が解除された状態にあっては、当該切開傷付与器具の機能を果たすための機構に対して駆動器具側から物理的力をまったく伝えることができないことを言うものである。さらに、より好ましくは、このような係合が解除された状態にあっては、切開傷付与器具と駆動器具とのあいだに何らの物理的接触すらも発生しないものであることを言うものとする。係合は電気的に形成されるものであって良く、たとえば、電気的スイッチを閉じる行為によって係合が完成するものであって良い。しかし、より好ましくはこの係合が機械的なものであり、機能を果たすための機構に関わる、動作可能な形での機械的な噛み合いが形成されることでもたらされるものである。駆動器具が動作可能な形で切開傷付与器具と噛み合いを形成する場合には、駆動器具側から切開傷付与器具に具備された機能を果たすための機構に物理的な力が伝達される。より好ましくは、たとえば、シャフトや歯車のような部品を仲立ちとして回転運動が駆動器具から機能を果たすための機構に伝達され、その結果、動作可能に形成された噛み合いの作用により機能を果たすための機構の動作が起動する。このような動作の実現は、摩擦作用を利用し達成する係合、あるいはより好ましくは精密なすり併せ接触により達成される係合によって可能となるものである。
【００１７】
以下に本願発明の更なる詳細を説明する。以下の説明は、実施例に基づきまた添付図面を参照しながら実施するものである。これら添付図面に記載された特徴はそれぞれを単独で採用し本願発明の実施例とすることが可能であるのみならず、これら添付図面に記載された特徴のいずれかを組み合わせて利用することで本願発明の実施例とすることも可能である。
【発明を実施するための最良の形態】
【００１８】
図１は、本願発明の説明のために、本願発明の実施例である携帯型の分析機器１を模式的に示すものである。前記携帯型の分析機器１は血液の分析を実施する分析器具２と切開された傷口を付与する切開傷付与器具３とを含んで構成される。切開傷付与器具３は（図示されない）ランセットと、前記ランセットの切開動作ならびに前記ランセットの引き戻し動作を完遂するための（図示されない）ランセットの発射機とで構成される。携帯型の分析機器１は、その本体容器４に開口部５を有するものであり、前記開口部５には一本の指など、身体の一部分を押し付けられると共に、そのとき前記身体部分に切開傷を付与する。
【００１９】
もし切開傷付与器具３が、図１に示したごとく、切開動作位置にある場合には、本体容器の開口部５に押し付けられた身体の部分に切開傷を付与することが可能である。切開傷の付与を完了すると前記切開傷付与器具３は、（図示されない）輸送器具がピボット動作、あるいは平行移動動作をすることによって収納位置に移動させられる。前記移動にともなって形成される空隙部分に収まるべく、分析器具２は本体容器の開口部５方向に移動させられ、一定の姿勢をとることになるが、この結果、前記分析器具２は付与された切開傷から流出する血液を採集できることになる。
【００２０】
ここで説明のために示した実施例にあっては、分析器具２はベルト形状の試験片が充填されたカセットを持っている。前記試験片にはそのベルト状の長手方向に複数の区切り部分が形成されており、その区分域には種々の検査用化学成分物質が塗布されており、前記区分域の各々はそこに接触した血液に反応して、前記血液の血糖濃度に応じて肉眼で区別可能な色変化を起こす。前記分析器具２ならびに前記携帯型の分析機器１を構成するそれ以外の種々の電気部品と同様に、市販されている電池でなる内蔵電源６から電力の供給を受けている。
【００２１】
図１にあっては、その構成を見やすくするために、駆動器具の類、すなわち切開傷付与器具３に含まれる機能を果たすための各種機構を動作させる駆動器具類の記載はすべて省略されている。駆動器具類および切開傷付与器具３に含まれる機能を果たすための各種機構についての説明は図２および図３に基づき以下に記述する。
【００２２】
図１におけると同様に図２において示したものは切開傷付与器具３がその切開動作位置にある状態に対応するものである。図３に示したものは前記切開傷付与器具３がその収納位置にある状態に対応するものである。前記切開傷付与器具３はこれら二つの位置を行ったりきたりする移動を繰り返すことになる。分析器具２は図１に示した本体容器の開口部５からは遠く離れた位置から移動させられ、分析実施位置に位置を取る。分析実施位置に位置することで前記分析器具２は本体容器の開口部５に押し付けられた身体部分に付与された切開傷から流れ出る液体の分析を実行することができる。前記分析器具２は実質的にそれまでは切開傷付与器具３がその切開動作位置としていた、本体容器に開口部に隣接する空間域をそれに交代して占有するものである。分析器具２と切開傷付与器具３はしたがって相互に交代する形で本体容器の開口部５に直接接する空間域に位置を取ることになる。
【００２３】
図２は切開動作位置にある状態の切開傷付与器具３を示すものである。前記図にあっては切開傷付与器具３に具備され、様々な機能を果たすための各種の機構１１ａ、１１ｂ、１１ｃ、１１ｄとそれらの各々を駆動するときに使用される複数の駆動器具１０ａ、１０ｂ、１０ｃ、１０ｄも併せて記載されている。ここで説明のために示した本願発明の実施例にあっては、切開傷付与器具３は発射用バネを緊張状態にするための第一の機能用機構１１ａと切開傷の深さを設定するための第二の機能用機構１１ｃ、切開傷付与器具３に搭載されるランセット・マガジンを回転させるための第三の機能用機構１１ｂならびにランセットが切開しその後引き戻るまでのランセットの動作を起動するための第四の機能用機構１１ｄを具備している。
【００２４】
このような様々な機能を果たすための種々の機構を具備する切開傷付与器具３は一般的技術として知られており、たとえば独国特許出願第１０２００４０５９４９１．０号に記載されている。またこの独国特許文献は参考までに本件出願の主題に言及されている。
【００２５】
図２に示した切開動作位置に位置する状態にある切開傷付与器具３にあっては、駆動器具の一つ１０ｄのみが動作可能な形態で当該切開傷付与器具３と、より具体的に表現するならば、特定の一つの機能用機構１１ｄと、係合している。これ以外の駆動器具１０ａ、１０ｂ、１０ｃについてはそのいずれもが当該切開傷付与器具３から、より具体的には当該機能用機構１１ａ、１１ｂ、１１ｃからは開放されている。図３は収納位置に位置する状態での切開傷付与器具３を図示するもので、当該駆動器具の内の三つ１０ａ、１０ｂ、１０ｃは動作可能に切開傷付与器具３と係合されている一方、それら以外の一つ１０ｄは切開傷付与器具３から開放されている。
【００２６】
切開傷付与器具３が駆動器具１０ａ、１０ｂ、１０ｃ、１０ｄと動作可能に係合することによって回転運動がこれら駆動器具１０ａ、１０ｂ、１０ｃ、１０ｄの内のいずれか該当するものから切開傷付与器具３に具備された機能用機構１１ａ、１１ｂ、１１ｃ、１１ｄの内でこの特定の駆動器具に対応した機能用機構に伝播される。このような目的を達成するために駆動器具１０ａ、１０ｂ、１０ｃ、１０ｄはそれぞれシャフト１２ａ、１２ｂ、１２ｃ、１２ｄで構成され、これら各々のシャフトは精密にすり合わせ具合を調節された摩擦接触によってそれぞれ対応する切開傷付与器具３に具備された特定の機能用機構１１ａ、１１ｂ、１１ｃ、１１ｄとのあいだに係合を達成する。
【００２７】
駆動器具の一つ１０ｄはシャフト１２ｄを有して構成されるものであって、前記シャフト１２ｄは本体容器４の外壁を通り抜けその外側に突出していると共にその突出した先端にはロータリー式操作ボタン１３ｄが備わっている。前記シャフト１２ｄは中空形状のシャフトとして形成されており、その中空部分の寸法に適合するように作製された、機能用機構の一つ１１ｄに対応するシャフト１４ｄ（図２参照）の外側にはめ込むように押し込むことが可能であり、この押し込み動作によって、切開傷付与器具３の動作が起動される。図２に示した切開動作位置に位置する状態にある切開傷付与器具３において、これら特定の二本のシャフト１２ｄと１４ｄはスプライン結合で係合するする。スプライン形状の中空部ハブはこの特定のシャフト１２ｄの先端部のみに形成されるものである。中空シャフト１２ｄの内径は当該先端部の内の奥側でやや大きくなる様に形成され、前記スプライン形状の中空部ハブとなるものであって、この結果、図３に示すごとき切開傷付与器具３が収納位置に位置する状態においては、シャフト１２ｄの回転運動がシャフト１４ｄに伝達されることはない。すなわちこの状態にあっては複数の駆動器具の内の一つ特定の駆動器具１０ｄとそれに対応する機能用機構１１ｄとのあいだの係合は開放されている。
【００２８】
駆動器具の二つ１０ｂと１０ｃの構造は駆動器具の一つ１０ｄの構造に対応するものである。駆動器具の二つ１０ｂと１０ｃはそれぞれがシャフト１２ｂまたは１２ｃから構成されており、本体容器４の外壁を貫通し外側に突き出ている。シャフト１２ｂおよび１２ｃの先端にはそれぞれロータリー式操作ボタン１３ｂと１３ｃが備わっており、ユーザーはこれらの操作ボタンを操作できるものである。これらのシャフト１２ｂと１２ｃは、各々が対応し、かつ機能用機構１１ｂと１１ｃにそれぞれ対応するところのシャフト１４ｂと１４ｃにスプライン結合によって、動作可能に係合されている。ここで切開傷付与器具３は図３に示すごとく収納位置に位置する状態にある。スプライン結合に替えて、それとは異なるタイプの精密なすり合わせ接触による接合、たとえば鋸歯状面接触による接合や多角形型表面の接触による接合をシャフト１２ｂとシャフト１４ｂとの係合、シャフト１２ｃとシャフト１４ｃとの係合に用いることも可能である。
【００２９】
機能用に機構１１ａは切開傷付与器具３に備わった発射用バネを緊張状態にする機構であるがこの機構１１ａを動作させる駆動器具１０ａは電気で駆動されるモーター１５で構成されている。図３に示された収納位置に位置する状態の切開傷付与器具３において、モーター１５は機能用の機構１１ａに対応するシャフト１４ａと接合するシャフト１２ａを駆動する。この駆動器具１０ａは（図示しない）ボタン形状の動作部品をも含んで構成されるものであって、たとえば、ユーザーがこれを操作することで前記した電気モーターのスイッチを閉じることができる。
【００３０】
シャフト１２ｂ、１２ｃ、１２ｄとは対照的にシャフト１２ａは切開傷付与器具３がその収納位置からその切開動作位置まで平行移動させられる方向に対抗する方向に移動する。したがってシャフト１２ａの、電気モーター１５があるのとは反対側の端末部分にスロット（溝状空隙）１６が形成されている。シャフト１４ａの自由端の端面にはウェブ１７が形成されており、図３に示したように切開傷付与器具３が収納位置に位置する状態に置いて、前記端面がスロット１６と、タングとグルーブ方式による噛み合い係合を形成する。
【図面の簡単な説明】
【００３１】
【図１】切り込み動作用器具の収納部を有するタイプの携帯型分析機器の模式図である。
【図２】図１に示した携帯型の分析機器をさらに詳細に示す図であり、当該切開傷付与器具は切開動作位置に位置した状態にある。
【図３】切開傷付与器具の詳細を示すものであり、当該切開傷付与器具は収納位置に位置した状態にある。
【符号の説明】
【００３２】
２  分析器具
３  切開傷付与器具
４  本体容器
５  本体容器の開口部
１０ａ  駆動器具
１０ｂ  駆動器具
１０ｃ  駆動器具
１０ｄ  駆動器具
１１ａ  機能用機構（機能を果たすための機構）
１１ｂ  機能用機構（機能を果たすための機構）
１１ｃ  機能用機構（機能を果たすための機構）
１１ｄ  機能用機構（機能を果たすための機構）
１５  モーター
【図１】
2007000620.tif 000003
【図２】
2007000620.tif 000004
【図３】
2007000620.tif 000005
【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
体液の分析を実施するための携帯型分析機器であって、その身体部分に切開傷を付与させるべく、身体の一部、具体的には一本の指を置くための開口部５を有する本体容器４、前記切開傷から採取された体液を分析する分析器具２、ランセットと、前記ランセットが切開傷をつくるためのランセットの運動を生起させるランセット発射機からなる切開傷付与器具３、前記ランセット発射機を含んでなる切開傷付与器具３について、切開動作位置と収納位置とのあいだで移動させる輸送器具で構成されることを特徴とする携帯型分析機器であって、
前記切開傷付与器具３が切開動作位置にある状態にあっては、前記切開傷付与器具３は本体容器の開口部５に位置し、前記本体容器の開口部５に押し当てられる身体部分にランセットの使用によって切開傷を付与することが可能であり、
前記収納位置にある状態にあっては、前記切開傷付与器具３は本体容器の開口部５からは遠くはなれた場所に位置し、
前記本体容器の開口部５とのあいだにできる空隙には分析器具２が入り込み前記本体容器の開放部５に押し付けられた身体部分から流れ出る血液を採取でき、各駆動器具１０ａ、１０ｂ、１０ｃ、１０ｄが切開傷付与器具３に備わった機能を果たすための機構１１ａ、１１ｂ、１１ｃ、１１ｄの内それぞれが対応するものを作動するために使用され、
前記切開傷付与器具３と駆動器具１０ａ、１０ｂ、１０ｃ、１０ｄのそれぞれとの係合に関して、前記切開傷付与器具３が前記二つの位置のいずれか一方にある状態にあっては当該係合が開放されるものであり、切開傷付与器具３がもう一方の位置にある状態にあっては当該係合が確保される
ことを特徴とする携帯型分析機器。
【請求項２】
前記駆動器具１０ａ、１０ｂ、１０ｃ、１０ｄのいずれかが前記切開傷付与器具３との係合が開放される状態にあるときにあっては当該駆動器具１０ａ、１０ｂ、１０ｃ、１０ｄからは前記切開傷付与器具３が具備する機能を果たすための機構１１ａ、１１ｂ、１１ｃ、１１ｄのいずれに対して何らの力をも伝達できず、
前記駆動器具１０ａ、１０ｂ、１０ｃ、１０ｄのいずれかが前記切開傷付与器具３との係合が確立された状態にあるときにあっては、当該駆動器具１０ａ、１０ｂ、１０ｃ、１０ｄから前記切開傷付与器具３が具備する機能を果たすための機構１１ａ、１１ｂ、１１ｃ、１１ｄのうち、確立されている係合の相手である機構に対して力を伝達できることを特徴とする請求項１記載の携帯型分析機器。 
【請求項３】
前記分析器具２がベルト形状の試験片収容するカセットを保有していることを特徴とする請求項１または２に記載の携帯型分析機器。
【請求項４】
前記機能を果たすための機構１１ａ、１１ｂ、１１ｃ、１１ｄのうちの一つは、発射用バネを緊張状態にするための緊張化機構、切開傷の深さ設定機構、マガジンの位置変更機構、およびランセットの切開動作を開始させる引き金機構の内のいずれかであることを特徴とする請求項１〜３のいずれか１項に記載の携帯型分析機器。 
【請求項５】
前記切開傷付与器具３と駆動器具の一つ１０ａ、１０ｂ、１０ｃ、１０ｄとのあいだに形成される駆動動作の実行が可能なような係合は回転運動を該一つの駆動器具１０ａ、１０ｂ、１０ｃ、１０ｄから前記切開傷付与器具３の機能を果たすための機構１１ａ、１１ｂ、１１ｃ、１１ｄのいずれかに伝達するものであることを特徴とする請求項１〜４のいずれか１項に記載の携帯型分析機器。 
【外国語明細書】
2007000620000001.pdf
2007000620000002.pdf
2007000620000003.pdf
2007000620000004.pdf